(57)【要約】【課題】  複数種のスキャナを繋ぎ替えて使う場合に用いて好適なハンドヘルドスキャナ用汎用ホルダを提供する。【解決手段】  ハンドヘルドスキャナ用汎用ホルダ４は、内部にスキャナヘッドを立て掛けるための有底筒状のホルダ本体５と、ホルダ本体５の開口部から側面にかけて形成された、ガン型ハンドヘルドスキャナの把持部を立て掛ける為のＵ字状溝６と、該Ｕ字状溝を上部から塞ぐ蓋板７と、ホルダ本体５の底部側から伸張し、可搬型卓上電子機器の底部の下に敷いてホルダ本体５が容易に動かないように重しとする、平板状の載置部８とから構成する。【選択図】        図３
2008186397.tif 000002
【特許請求の範囲】
【請求項１】
可搬型卓上電子機器と共に用いるハンドヘルドスキャナ用汎用ホルダであって、内部にスキャナヘッドを立て掛けるための有底筒状のホルダ本体と、該ホルダ本体の開口部から側面にかけて形成された、ガン型ハンドヘルドスキャナの把持部を立て掛ける為のＵ字状溝と、該Ｕ字状溝を上部から塞ぐ施蓋手段と、前記ホルダ本体の底部側から伸張し、可搬型卓上電子機器の底部の下に敷いてホルダ本体が容易に動かないように重しとする、平板状の載置部とからなる、ハンドヘルドスキャナ用汎用ホルダ。
【発明の詳細な説明】
【技術分野】
【０００１】
本発明は、例えばトランスポータブル型ラベルプリンタの如き卓上電子機器に、複数種のハンドヘルドスキャナを繋ぎ替えて使う場合に用いて好適なハンドヘルドスキャナ用汎用ホルダに関する。
【背景技術】
【０００２】
物流配送センターやセルフサービスの小売店などで、バーコードを用いた検品や棚卸し、インストアマーキングや値引ラベルを発行するのに、図１中の１や、図２中の２ようなハンドヘルドスキャナと、図４中の３のような可搬型卓上ラベルプリンタが多用されている。
【０００３】
１は扁平なスキャナヘッド１Ａと、該スキャナヘッド１Ａから直線的に延びる把持部１Ｂを有するタッチタイプのハンドヘルドスキャナであり、片手で持てるくらいの商品のバーコードをスキャンするのに広く用いられている。
【０００４】
２はガン（拳銃）型のハンドヘルドスキャナであり、スキャナヘッド２Ａと把持部２Ｂとが直交方向に曲がっており、その交差部近傍に、引き金に相当するスキャンボタン２Ｃが設けられている。ガン型スキャナ２は、重量物であったり、大型商品の場合に、傍まで携行して行き、スキャンボタン２Ｃを押すことで、スキャナヘッド２Ａから半導体レーザーが照射され、バーコードに非接触で読み取ることができるようになっている。
【０００５】
ラベルプリンタ３は、例えば商用電源の交流１００Ｖでも、バッテリー駆動でも使用できるような、比較的小型の機器であって、使用するときに身体に装着するタイプ（モバイル型）よりは大きく、重量のあるプリンタ（５Ｋｇ前後）である。
【０００６】
以上のようなハンドヘルドスキャナ（以下、省略して「スキャナ」という）は、ＰＯＳ専用端末機などでは、機器の上部に設置の為の専用の窪みが形成されていたり（特許文献１）、専用のスタンド、ホルダが販売されており、接続するスキャナに変更が無い場合にはこういった専用ホルダが有利に用いられてきた。
【０００７】
然るに、使用場所や用途によってスキャナを取り替える場合、専用のスタンドやホルダは形が合わず、特にタッチスキャナとガン型のスキャナで同一のホルダを使用することは困難であった。しかし、ホルダ等を用いずに机や作業台の上に放置しておくとスキャナは場所を取り、コードが絡まって落下させたり、無線タイプでは紛失などの危険もあった。
【特許文献１】特開２００１−２８２３９２号公報
【発明の開示】
【発明が解決しようとする課題】
【０００８】
本発明は上記従来技術の問題に鑑みなされたものであり、本発明の目的は、複数種のスキャナを繋ぎ替えて使う場合に用いて好適なハンドスヘルドキャナ用汎用ホルダを提供することにある。
【課題を解決するための手段】
【０００９】
上記課題を解決するため、本発明によれば、可搬型卓上電子機器と共に用いるハンドヘルドスキャナ用汎用ホルダであって、内部にスキャナヘッドを立て掛けるための有底筒状のホルダ本体と、該ホルダ本体の開口部から側面にかけて形成された、ガン型ハンドヘルドスキャナの把持部を立て掛ける為のＵ字状溝と、該Ｕ字状溝を上部から塞ぐ施蓋手段と、前記ホルダ本体の底部側から伸張し、可搬型卓上電子機器の底部の下に敷いてホルダ本体が容易に動かないように重しとする、平板状の載置部とからなる、ハンドヘルドスキャナ用汎用ホルダが提供される。
【００１０】
タッチスキャナでも、ガン型スキャナでも、水平置きよりは立て掛ける方が場所を取らず取り出し易いと考えられ、上記構成より、両タイプのスキャナに用いて有利な汎用ホルダとなる。
ガン型の場合、把持部とスキャナヘッドが直交するように曲がっているため、Ｕ字状溝に把持部が支持されることで安定的に立て掛けられる。また、タッチスキャナの場合、把持部からスキャナヘッドまでが直線的であり、Ｕ字状溝に把持部が入り込むと斜めになって転倒する恐れがある。本発明では、施蓋手段によってこれを防止すると共に、載置部に置いたスキャナ接続機器によって転倒を防止する。
【発明の効果】
【００１１】
タッチスキャナでもガン型スキャナでも、ホルダ本体内にスキャナヘッドを立て掛けてスキャナを保持でき、省スペースであり、取り出しに便利でかつスキャナを安定支持できる。
【発明を実施するための最良の形態】
【００１２】
以下、本発明の実施の形態につき図３ないし図１１を参照しつつ詳細に説明する。なお、各実施の形態では同一構成要素に同一符号を付し、後の説明は省略するものとする。
【００１３】
図３は本発明の第一の実施の形態にかかるスキャナホルダの外観図、図４は図３のスキャナホルダをラベルプリンタの横に設置した状態を示す外観図、図５はスキャナホルダにガン型スキャナを収容した状態の正面図、図６は同側面図、図７はスキャナホルダにタッチスキャナを収容した状態の正面図、図８は同側面図、図９、図１０および図１１は他の実施形態（施蓋手段の変形例）である。
【００１４】
図３中、４はスキャナホルダであり、該ホルダ４は丈夫な段ボール紙や、発砲ポリスチレン、発砲ポリウレタンなどのシートを折り曲げ、はめ込み、綴じ合わせまたは接着して形成されている。
【００１５】
５は内部にスキャナヘッドを立て掛けるための有底筒状のホルダ本体である。６は、前記ホルダ本体５の開口部から側面にかけて形成された、ガン型スキャナ２の把持部２Ｂを立て掛ける為のＵ字状溝であり、該Ｕ字状溝６を上部から塞ぐ施蓋手段としての蓋板７がホルダ本体５の側面に、着脱可能に設けられている。
【００１６】
そして、前記ホルダ本体５の底部側からは、ラベルプリンタ３の底部の下に敷いてホルダ本体５が容易に動かないように重しとする、平板状の載置部８が伸張して一体形成されている。
【００１７】
そして、ガン型スキャナ２の場合は、図５のように、蓋板７は使用せず、Ｕ字状溝６に把持部２Ｂを挿入して支持することで、スキャナヘッド２Ａが安定的にホルダ内に立て掛けられ、図６のように、把持部２Ｂも水平に保持される。これにより、省スペースな設置が可能となり、同時に取り出し易いという効果を奏する。
【００１８】
一方、タッチスキャナ１の場合は図７のように、蓋板７を使用する。把持部１Ｂからスキャナヘッド１Ａまでが直線的な為（図８）、前述の通り、Ｕ字状溝６に把持部１Ｂが入り込んで斜めになったり転倒するのを防止するためである。
また、この場合重心が高くなるが、本実施の形態では、蓋板７と載置部８に置いたラベルプリンタ３の重しによって、小さな設置面積にも関わらず転倒防止が図られている。
【００１９】
本実施の形態は以上のようなものであるが、上述した各形態は発明を現す一形態に過ぎず、本発明は請求項に記載した技術思想の範囲内での変形や均等物との置換が可能であることは勿論である。
【００２０】
例えば、差し込み式の蓋板７に替えて、図９の如く、回転式の蓋板９としてもよい。
また、図１０（Ａ）の如く、糸閉じ封筒のような鳩目を２つ設けて片方に糸を巻き付けておき、使用するときに他の鳩目に巻き付けるようにしてもよい。
さらに、図１１のように、包帯止めバンド１１の様なものを用いてもよい。
また、載置部には両面テープなどの接着材を設けてもよい。
【図面の簡単な説明】
【００２１】
【図１】タッチ式スキャナの一例を示す外観図。
【図２】ガン型スキャナの一例を示す外観図。
【図３】本発明の実施の形態に係るスキャナホルダの外観図。
【図４】ラベルプリンタの横にスキャナホルダを設置する場合の説明図。
【図５】ガン型スキャナを収納する場合の正面図。
【図６】同、側面図。
【図７】タッチスキャナを収納する場合の正面図。
【図８】同、側面図。
【図９】実施の形態の変形例を示す外観図。
【図１０】他の変形例を示す外観図。
【図１１】他の変形例を示す外観図。
【符号の説明】
【００２２】
１…タッチスキャナ、２…ガン型スキャナ、３…ラベルプリンタ、４…スキャナホルダ、５…ホルダ本体、６…Ｕ字状溝、７…蓋板（施蓋手段）、８…載置部
【図１】
2008186397.tif 000003
【図２】
2008186397.tif 000004
【図３】
2008186397.tif 000005
【図４】
2008186397.tif 000006
【図５】
2008186397.tif 000007
【図６】
2008186397.tif 000008
【図７】
2008186397.tif 000009
【図８】
2008186397.tif 000010
【図９】
2008186397.tif 000011
【図１０】
2008186397.tif 000012
【図１１】
2008186397.tif 000013